【手続補正書】
【提出日】平成14年8月29日(2002.8.29)
【手続補正１】
【補正対象書類名】明細書
【補正対象項目名】特許請求の範囲
【補正方法】変更
【補正の内容】
【特許請求の範囲】
【請求項１】
複数のルートが利用可能なネットワークにおいてソースからルーティング宛先までトラフィックをルーティングするための方法であって、
前記ルートの各々にコストを割り当て、コスト関数により規定される最低のコストを有するルートを選択し、
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する、
という各ステップを有する、トラフィックのルーティング方法。
【請求項２】
前記選択されたルートをルータへ伝送するステップを更に含む、請求項１に記載の方法。
【請求項３】
前記ソースから前記選択されたルートを介した前記ルーティング宛先へのトラフィックのルーティングを前記ルータに行わせるステップを更に含む、請求項２に記載の方法。
【請求項４】
前記コストが、該コストが割り当てられるルート上の経路特性の関数である、請求項１に記載の方法。
【請求項５】
前記経路特性が、レイテンシ、パケット損失、ヘッドルーム、対価、経路長、ルート変化、及びＢＧＰ到達可能性からなるグループから選択される、請求項４に記載の方法。
【請求項６】
前記ルーティング宛先の場所を決定し、前記利用可能なルートを介した前記ソースから別の宛先へのトラフィックの送信に関連する前記経路特性の測定値に基づいて前記経路特性を推論する、という各ステップを更に含む、請求項４に記載の方法。
【請求項７】
前記ルーティング宛先の場所が円交差法により決定され、該円交差法が、
複数のソース場所から前記ルーティング宛先へトラフィックが移動するのに要する時間を測定し、
該時間を距離の等価値に変換し、
前記距離の等価値を円の半径として使用すると共に、前記ソース場所を中心として使用して、複数の交差する円を形成し、
該円の交差から前記ルーティング宛先の物理的な場所を決定する、
という各ステップを含む、請求項６に記載の方法。
【請求項８】
前記ソースから他の宛先への前記経路特性の加重平均を前記ルーティング宛先に対する前記他の宛先の物理的な近接性に基づいて決定することにより前記経路特性を推論するステップを更に含む、請求項４に記載の方法。
【請求項９】
複数のルートが利用可能なネットワークにおいてソースからルーティング宛先へトラフィックをルーティングするための方法であって、
利用可能なルートの各々毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記利用可能なルート上の前記コスト関数を最小化し、
該コスト関数の最小化により決定された最低コストのルートに従って前記トラフィックをルーティングし、
前記ソースから他の宛先への前記経路特性の加重平均を前記ルーティング宛先に対する前記他の宛先の物理的な近接性に基づいて決定することにより前記経路特性を推論する、
という各ステップを有する、トラフィックのルーティング方法。
【請求項１０】
前記最低コストのルートをルータへ伝送するステップを更に含む、請求項９に記載の方法。
【請求項１１】
前記ソースから前記最低コストのルートを介して前記ルーティング宛先へのトラフィックのルーティングを前記ルータに行わせるステップを更に含む、請求項１０に記載の方法。
【請求項１２】
前記経路特性が、レイテンシ、パケット損失、ヘッドルーム、対価、経路長、ルート変化、及びＢＧＰ到達可能性からなるグループから選択される、請求項９に記載の方法。
【請求項１３】
前記ルーティング宛先の場所を決定し、前記利用可能なルートを介した前記ソースから別の宛先へのトラフィックの送信に関連する前記経路特性の測定値に基づいて前記経路特性を推論する、という各ステップを更に含む、請求項９に記載の方法。
【請求項１４】
前記ルーティング宛先の場所が円交差法により決定され、該円交差法が、
複数のソース場所から前記ルーティング宛先へトラフィックが移動するのに要する時間を測定し、
該時間を距離の等価値に変換し、
前記距離の等価値を円の半径として使用すると共に、前記ソース場所を中心として使用して、複数の交差する円を形成し、
該円の交差から前記ルーティング宛先の物理的な場所を決定する、
という各ステップを含む、請求項１３に記載の方法。
【請求項１５】
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する、
という各ステップを更に含む、請求項９に記載の方法。
【請求項１６】
複数のルートが利用可能なネットワークにおいてソースからルーティング宛先へトラフィックをルーティングするための方法であって、
利用可能なルートの各々毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記コスト関数により規定される最低コストを有するルートを選択し、
該最低コストのルートに従って前記トラフィックをルーティングし、
前記ソースから他の宛先への前記経路特性の加重平均を前記ルーティング宛先に対する前記他の宛先の物理的な近接性に基づいて決定することにより前記経路特性を推論する、
という各ステップを有する、トラフィックのルーティング方法。
【請求項１７】
前記最低コストのルートをルータへ伝送するステップを更に含む、請求項１６記載の方法。
【請求項１８】
前記ソースから前記最低コストのルートを介した前記ルーティング宛先へのトラフィックのルーティングを前記ルータに行わせるステップを更に含む、請求項１７に記載の方法。
【請求項１９】
前記経路特性が、レイテンシ、パケット損失、ヘッドルーム、対価、経路長、ルート変化、及びＢＧＰ到達可能性からなるグループから選択される、請求項１６に記載の方法。
【請求項２０】
前記ルーティング宛先の場所を決定し、前記利用可能なルートを介した前記ソースから別の宛先へのトラフィックの送信に関連する前記経路特性の測定値に基づいて前記経路特性を推論する、という各ステップを更に含む、請求項１６に記載の方法。
【請求項２１】
前記ルーティング宛先の場所が円交差法により決定され、該円交差法が、
複数のソース場所から前記ルーティング宛先へトラフィックが移動するのに要する時間を測定し、
該時間を距離の等価値に変換し、
前記距離の等価値を円の半径として使用すると共に、前記ソース場所を中心として使用して、複数の交差する円を形成し、
該円の交差から前記ルーティング宛先の物理的な場所を決定する、
という各ステップを含む、請求項２０に記載の方法。
【請求項２２】
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する、
という各ステップを更に含む、請求項１６に記載の方法。
【請求項２３】
複数のルートが利用可能なネットワークにおいてソースからルーティング宛先へトラフィックをルーティングするための方法であって、
利用可能なルートの各々毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記各ルート上の前記コスト関数を最小化して、該コスト関数により規定される前記トラフィックのルーティングの最低コストを有するルートを識別し、
該最低コストのルートを含むルーティングテーブルを生成し、
前記ソースから他の宛先への前記経路特性の加重平均を前記ルーティング宛先に対する前記他の宛先の物理的な近接性に基づいて決定することにより前記経路特性を推論する、
という各ステップを有する、トラフィックのルーティング方法。
【請求項２４】
前記ルーティングテーブルをルータへ伝送するステップを更に含む、請求項２３に記載の方法。
【請求項２５】
前記ルートに対する前記ルーティングテーブルの適用を前記ルータに行わせるステップを更に含む、請求項２４に記載の方法。
【請求項２６】
前記経路特性が、レイテンシ、パケット損失、ヘッドルーム、対価、経路長、ルート変化、及びＢＧＰ到達可能性からなるグループから選択される、請求項２３に記載の方法。
【請求項２７】
前記ルーティング宛先の場所を決定し、前記利用可能なルートを介した前記ソースから別の宛先へのトラフィックの送信に関連する前記経路特性の測定値に基づいて前記経路特性を推論する、という各ステップを更に含む、請求項２３に記載の方法。
【請求項２８】
前記ルーティング宛先の場所が円交差法により決定され、該円交差法が、
複数のソース場所から前記ルーティング宛先へトラフィックが移動するのに要する時間を測定し、
該時間を距離の等価値に変換し、
前記距離の等価値を円の半径として使用すると共に、前記ソース場所を中心として使用して、複数の交差する円を形成し、
該円の交差から前記ルーティング宛先の物理的な場所を決定する、
という各ステップを含む、請求項２７に記載の方法。
【請求項２９】
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する、
という各ステップを更に含む、請求項２３に記載の方法。
【請求項３０】
複数のルートが利用可能なネットワークにおいてソースからルーティング宛先へトラフィックをルーティングするための、コンピュータにより実施されるシステムであって、
コンピュータシステムと、
該コンピュータシステムに関するプログラミングであって、
前記ルートの各々にコストを割り当て、
コスト関数により規定される最低コストを有するルートを選択し、
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する
ためのプログラミングと
を含む、コンピュータにより実施されるシステム。
【請求項３１】
前記選択されたルートをルータへ伝送するための、前記コンピュータシステムに関するプログラミングを更に含む、請求項３０に記載のシステム。
【請求項３２】
前記ソースから前記選択されたルートを介した前記ルーティング宛先へのトラフィックのルーティングを前記ルータに行わせるための、前記コンピュータシステムに関するプログラミングを更に含む、請求項３１に記載のシステム。
【請求項３３】
前記コストが、該コストが割り当てられるルート上の経路特性の関数である、請求項３０に記載のシステム。
【請求項３４】
前記経路特性が、レイテンシ、パケット損失、ヘッドルーム、対価、経路長、ルート変化、及びＢＧＰ到達可能性からなるグループから選択される、請求項３３に記載のシステム。
【請求項３５】
前記ルーティング宛先の場所を決定し、及び前記利用可能なルートを介した前記ソースから別の宛先へのトラフィックの送信に関連する前記経路特性の測定値に基づいて前記経路特性を推論するための、前記コンピュータシステムに関するプログラミングを更に含む、請求項３３に記載のシステム。
【請求項３６】
複数のソース場所から前記ルーティング宛先へトラフィックが移動するのに要する時間を測定し、
該時間を距離の等価値に変換し、
前記距離の等価値を円の半径として使用すると共に、前記ソース場所を中心として使用して、複数の交差する円を形成し、
該円の交差から前記ルーティング宛先の物理的な場所を決定する
ための、前記コンピュータシステムに関するプログラミングを更に含む、請求項３５に記載のシステム。
【請求項３７】
前記ソースから他の宛先への前記経路特性の加重平均を前記ルーティング宛先に対する前記他の宛先の物理的な近接性に基づいて決定することにより前記経路特性を推論するための、前記コンピュータシステムに関するプログラミングを更に含む、請求項３３に記載のシステム。
【請求項３８】
複数のルートが利用可能なネットワークにおいてソースからルーティング宛先へトラフィックをルーティングするための、コンピュータにより実施されるシステムであって、
コンピュータシステムと、
該コンピュータシステムに関するプログラミングであって、
利用可能な各ルート毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記利用可能なルート上の前記コスト関数を最小化し、
該コスト関数の最小化により決定された最低コストのルートに従って前記トラフィックをルーティングし、
前記ソースから他の宛先への前記経路特性の加重平均を前記ルーティング宛先に対する前記他の宛先の物理的な近接性に基づいて決定することにより前記経路特性を推論する
ための、前記コンピュータシステムに関するプログラミングと
を含む、コンピュータにより実施されるシステム。
【請求項３９】
前記最低コストのルートをルータへ伝送するための、前記コンピュータシステムに関するプログラミングを更に含む、請求項３８に記載のシステム。
【請求項４０】
前記ソースから前記最低コストのルートを介した前記ルーティング宛先へのトラフィックのルーティングを前記ルータに行わせるための、前記コンピュータシステムに関するプログラミングを更に含む、請求項３９に記載のシステム。
【請求項４１】
前記経路特性が、レイテンシ、パケット損失、ヘッドルーム、対価、経路長、ルート変化、及びＢＧＰ到達可能性からなるグループから選択される、請求項３８に記載のシステム。
【請求項４２】
前記ルーティング宛先の場所を決定し、及び前記利用可能なルートを介した前記ソースから別の宛先へのトラフィックの送信に関連する前記経路特性の測定値に基づいて前記経路特性を推論するための、前記コンピュータシステムに関するプログラミングを更に含む、請求項３８に記載のシステム。
【請求項４３】
複数のソース場所から前記ルーティング宛先へトラフィックが移動するのに要する時間を測定し、
該時間を距離の等価値に変換し、
前記距離の等価値を円の半径として使用すると共に、前記ソース場所を中心として使用して、複数の交差する円を形成し、
該円の交差から前記ルーティング宛先の物理的な場所を決定する
ための、前記コンピュータシステムに関するプログラミングを更に含む、請求項４２に記載のシステム。
【請求項４４】
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する
ための、前記コンピュータシステムに関するプログラミングを更に含む、請求項３８に記載のシステム。
【請求項４５】
複数のルートが利用可能なネットワークにおいてソースからルーティング宛先へトラフィックをルーティングするための、コンピュータにより実施されるシステムであって、
コンピュータシステムと、
該コンピュータシステムに関するプログラミングであって、
利用可能な各ルート毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記コスト関数により規定される最低コストを有するルートを選択し、
該最低コストのルートに従って前記トラフィックをルーティングし、
前記ソースから他の宛先への前記経路特性の加重平均を前記ルーティング宛先に対する前記他の宛先の物理的な近接性に基づいて決定することにより前記経路特性
を推論する
ための、前記コンピュータシステムに関するプログラミングと
を含む、コンピュータにより実施されるシステム。
【請求項４６】
前記最低コストのルートをルータへ伝送するための、前記コンピュータシステムに関するプログラミングを更に含む、請求項４５に記載のシステム。
【請求項４７】
前記ソースから前記最低コストのルートを介した前記ルーティング宛先へのトラフィックのルーティングを前記ルータに行わせるための、前記コンピュータシステムに関するプログラミングを更に含む、請求項４６に記載のシステム。
【請求項４８】
前記経路特性が、レイテンシ、パケット損失、ヘッドルーム、対価、経路長、ルート変化、及びＢＧＰ到達可能性からなるグループから選択される、請求項４５に記載のシステム。
【請求項４９】
前記ルーティング宛先の場所を決定し、及び前記利用可能なルートを介した前記ソースから別の宛先へのトラフィックの送信に関連する前記経路特性の測定値に基づいて前記経路特性を推論するための、前記コンピュータシステムに関するプログラミングを更に含む、請求項４５に記載のシステム。
【請求項５０】
複数のソース場所から前記ルーティング宛先へトラフィックが移動するのに要する時間を測定し、
該時間を距離の等価値に変換し、
前記距離の等価値を円の半径として使用すると共に、前記ソース場所を中心として使用して、複数の交差する円を形成し、
該円の交差から前記ルーティング宛先の物理的な場所を決定する
ための、前記コンピュータシステムに関するプログラミングを更に含む、請求項４９に記載のシステム。
【請求項５１】
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する
ための、前記コンピュータシステムに関するプログラミングを更に含む、請求項４５に記載のシステム。
【請求項５２】
複数のルートが利用可能なネットワークにおいてソースからルーティング宛先へトラフィックをルーティングするための、コンピュータにより実施されるシステムであって、
コンピュータと、
該コンピュータに関するプログラミングであって、
利用可能な各ルート毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記各ルート上の前記コスト関数を最小化して、該コスト関数により規定される前記トラフィックのルーティングの最低コストを有するルートを識別し、
該最低コストのルートを含むルーティングテーブルを生成し、
前記ソースから他の宛先への前記経路特性の加重平均を前記ルーティング宛先に対する前記他の宛先の物理的な近接性に基づいて決定することにより前記経路特性を推論する
ための、前記コンピュータに関するプログラミングと
を含む、コンピュータにより実施されるシステム。
【請求項５３】
前記ルーティングテーブルをルータへ伝送するための、前記コンピュータシステムに関するプログラミングを更に含む、請求項５２に記載のシステム。
【請求項５４】
前記ルートに対する前記ルーティングテーブルの適用を前記ルータに行わせるための、前記コンピュータシステムに関するプログラミングを更に含む、請求項５３に記載のシステム。
【請求項５５】
前記経路特性が、レイテンシ、パケット損失、ヘッドルーム、対価、経路長、ルート変化、及びＢＧＰ到達可能性からなるグループから選択される、請求項５２に記載のシステム。
【請求項５６】
前記ルーティング宛先の場所を決定し、及び前記利用可能なルートを介した前記ソースから別の宛先へのトラフィックの送信に関連する前記経路特性の測定値に基づいて前記経路特性を推論するための、前記コンピュータシステムに関するプログラミングを更に含む、請求項５２に記載のシステム。
【請求項５７】
複数のソース場所から前記ルーティング宛先へトラフィックが移動するのに要する時間を測定し、
該時間を距離の等価値に変換し、
前記距離の等価値を円の半径として使用すると共に、前記ソース場所を中心として使用して、複数の交差する円を形成し、
該円の交差から前記ルーティング宛先の物理的な場所を決定する
ための、前記コンピュータシステムに関するプログラミングを更に含む、請求項５６に記載のシステム。
【請求項５８】
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する
ための、前記コンピュータシステムに関するプログラミングを更に含む、請求項５２に記載のシステム。
【請求項５９】
複数のルートが利用可能なネットワークにおいてソースからルーティング宛先までトラフィックをルーティングするための方法であって、
利用可能な各ルート毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記各ルート上の前記コスト関数を最小化し、
該コスト関数を最小化することにより決定される最低コストのルートに従って前記トラフィックをルーティングし、
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する、
という各ステップを有する、トラフィックのルーティング方法。
【請求項６０】
複数のルートが利用可能なネットワークにおいてソースからルーティング宛先までトラフィックをルーティングするための方法であって、
利用可能な各ルート毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記コスト関数により規定される最低コストを有するルートを選択し、
該最低コストのルートに従って前記トラフィックをルーティングし、
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する、
という各ステップを有する、トラフィックのルーティング方法。
【請求項６１】
複数のルートが利用可能なネットワークにおいてソースからルーティング宛先までトラフィックをルーティングするための方法であって、
利用可能な各ルート毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記各ルート上の前記コスト関数を最小化して、該コスト関数により規定される前記トラフィックのルーティングの最低コストを有するルートを識別し、
該最低コストのルートを含むルーティングテーブルを生成し、
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する、
という各ステップを有する、トラフィックのルーティング方法。
【請求項６２】
複数のルートが利用可能なネットワークにおいてソースからルーティング宛先へトラフィックをルーティングするための、コンピュータにより実施されるシステムであって、
コンピュータシステムと、
該コンピュータに関するプログラミングであって、
利用可能な各ルート毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記利用可能なルート上の前記コスト関数を最小化し、
該コスト関数の最小化により決定された最低コストのルートに従って前記トラフィックをルーティングし、
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する
ための、前記コンピュータに関するプログラミングと
を含む、コンピュータにより実施されるシステム。
【請求項６３】
複数のルートが利用可能なネットワークにおいてソースからルーティング宛先へトラフィックをルーティングするための、コンピュータにより実施されるシステムであって、
コンピュータシステムと、
該コンピュータに関するプログラミングであって、
利用可能な各ルート毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記コスト関数により規定される最低コストを有するルートを選択し、
該最低コストのルートに従って前記トラフィックをルーティングし、
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する
ための、前記コンピュータに関するプログラミングと
を含む、コンピュータにより実施されるシステム。
【請求項６４】
複数のルートが利用可能なネットワークにおいてソースからルーティング宛先へトラフィックをルーティングするための、コンピュータにより実施されるシステムであって、
コンピュータと、
該コンピュータに関するプログラミングであって、
利用可能な各ルート毎に、前記ソースから前記ルーティング宛先へのトラフィックのルーティングに関する経路特性の測定値を取得し、
コスト関数を使用して各利用可能なルートに該ルートに関する経路特性の関数としてコストを割り当て、
前記各ルート上の前記コスト関数を最小化して、該コスト関数により規定される前記トラフィックのルーティングの最低コストを有するルートを識別し、
該最低コストのルートを含むルーティングテーブルを生成し、
前記ソースと複数の他の宛先との間のレイテンシを測定し、
前記ルーティング宛先と前記他の宛先との間の物理的な距離を決定し、
該距離の関数として前記レイテンシの測定値の加重平均を計算し、
該加重平均を前記ソースと前記ルーティング宛先との間のレイテンシの概算値として使用する
ための、前記コンピュータに関するプログラミングと
を含む、コンピュータにより実施されるシステム。